(57)【特許請求の範囲】
【請求項１】
床ブラシに上下に回動自在に接続された連通管と、連通管にその周方向に回転自在に接続された接続管と、接続管に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、連通管の略中央部の上部に切欠部を形成し、該切欠部をカバーで覆うようにしたことを特徴とする電機掃除機。
【請求項２】
床ブラシに上下に回動自在に接続された連通管と、連通管にその周方向に回転自在に接続された接続管と、接続管に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部の一部に周方向にほぼ平なフラット面を形成したことを特徴とする電機掃除機。
【請求項３】
床ブラシに上下に回動自在に接続された連通管と、連通管にその周方向に回転自在に接続された接続管と、接続管官に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部で床面に当接する部分に切欠部を形成し、該切欠部を摩擦抵抗の少ないプラスチック材のキャップで閉鎖したことを特徴とする電気掃除機。
【発明の詳細な説明】
【０００１】
【発明の属する技術分野】
本発明は電気掃除機の床ブラシの構造に関すものである。
【０００２】
【従来の技術】
図７は本出願人が出願した特願平１０−４４８４６号である従来の床ブラシを示す縦断面図、図８は同床ブラシを示す斜視図、図９は同床ブラシの連通管の金型構造を示す模式図、図１０は同床ブラシに対するホース手元操作部の位置関係を示す斜視図、図１１は同床ブラシに対する吸気パイプの軸線を平行にして状態を示す斜視図、図１２は同床ブラシの上部に障害物がある床面に対する使用状態を示す側面図、図１３は同床ブラシの接続管の風の流れを示す説明図である。図８は同床ブラシを示す斜視図である。
【０００３】
図において、１は電気掃除機の床ブラシ、２は床ブラシ１に一端が上下に回動自在に接続された連通管、３は連通管２の他端にその周方向に回転自在に接続されている接続管である。４は接続管３に着脱自在に接続された吸気パイプ、５は吸気パイプ４に着脱自在に接続された手元パイプ、６は手元パイプ５に設けられたホース手元操作部、７は手元パイプ５に接続されたホース、８はホース７が着脱自在に接続される掃除機本体である。なお、吸気パイプ４は２本の接続自在なパイプで構成されている。
【０００４】
その連通管２と接続管３の接続部には抜け止めとしてストッパー９が設けられている。その連通管２における接続管３が接続される端部側が床ブラシ１から遠ざかるように下方に斜めに形成され、連通管２の接続管３との接続部の回動面Ａが接続管３に接続された吸気パイプ４の軸線Ｂと平行に形成されている。
また、接続管３における連通管２と接続される上側端部の直角曲がり部３ａの内壁面に曲面部３ｂを設け、その直角曲がり部３ａがある箇所の内壁面を曲面に形成するだけでなく、接続管３における連通管２と接続される下側端部３ｃの内壁面も長さ方向に曲面に形成している。
従って、接続管２における連通管２と接続される端部付近の内壁面全体が曲面に形成されている。
【０００５】
そして、接続管３に接続されて斜め上方に延びる吸気パイプ４は、連通管２の上面が床面１０と平行になっているときに床面１０に対する吸気パイプ４の軸線Ｂ（即ち連通管２２と接続管２３との接続部の回動面Ａ）の角度αが２０°〜４５°になるように構成されている。この角度αは使用者がホース手元操作部６で持つ手の高さと床ブラシ１との位置関係より操作するために適当な角度であり、それ以外では通常の掃除操作に支障をきたす。
このようにして接続された連通管２と接続管３とで構成される吸気管路は、図に示すように連通管２が床面１０と平行なとき、連通管２の大部分は床面１０と平行で、連通管２の出口側で斜め下方を向き、連通管２と接続管３の接続部も斜め下方に向いており、接続管３では入口側の途中から吸気パイプ４に向かって立ち上がるようになっている。
【０００６】
なお、床ブラシ１は上ケース１２と下ケース１３とからなる床ブラシ本体１１と、床ブラシ本体１１内に設けられたモータ（図示省略）により駆動される回転ブラシ１４と、下ケース１３に形成された吸込口１５と、下ケース１３の前方に設けられた前輪１６と、下ケース１３の後方に設けられた後輪１７とで構成されている。１８は下ケース１３の前方に取り付けられたバンパーである。
【０００７】
ここで、さらに連通管２と接続管３についてさらに詳しく説明する。
連通管２のほぼ中央部２ａは床面１０とほぼ平行であり、また内部は段差のない略長方形の断面形状をしている。また、下方に斜めに形成された出口側端部２ｂの内部は、略円柱形で内径は約２５ｍｍが一般的である。
そして、連通管２の中央部２ａと出口側端部２ｂとの接合部２ｃは下方は略エッジであり、それが上方に向かってＲ形状になっている。ここでなぜ接合部２ｃの下方がエッジになっているかを図９で説明する。
【０００８】
図９は金型構造を示す図である。斜線部Ａ，Ｂは２つの金型で、斜線部Ａは矢印Ａ方向にスライドし、斜線部ＢはＢ方向にスライドして型抜きする。また斜線部Ａ，Ｂの合せ目が接合部２２ｃであるパーティングラインになる。
ここで、接合部２ｃ（パーティングライン上側）がエッジからＲ形状の曲面になる理由としては、接合部２２ｃの下方（パーティングライン下側）をＲ形状の曲面にすると、斜線部Ａ，Ｂのどちらか側にＲ形状の曲面をつけてもアンダーカットになってしまいスライドができないため、どうしても接合部２２ｃの下方がエッジとなってしまうためである。
【０００９】
上記のような従来の電気掃除機の使用方法について説明する。
通常は、図７、図８及び図１０に示すように連通管２の上面を床面１０と平行な状態にして床面１０に対する吸気パイプ４の軸線Ｂの角度αを２０°〜４５°にし、吸気パイプ４の軸線Ｂ方向に対して床ブラシ１の前面を直交させ、吸気パイプ４を前後に往復動させて床ブラシ１の前面を往復動させて掃除をする。
そして、例えば床ブラシ１の左側面が壁際にきたときに、図１１に示すようにホース手元操作部６を吸気パイプ４の軸線Ｂを中心とした左回転の捻りを加える。
【００１０】
そうすると、吸気パイプ４と一体の接続管３に対して連通管２が左側に回動すると共に、床ブラシ１に対して連通管２が上方に回動し、接続管３と連通管２の接続部の回動面Ａが床面１０に対して垂直な面に変化し、その回動面Ａは吸気パイプ４の軸線Ｂと略平行となっているので、吸気パイプ４の軸線Ｂに対する床ブラシ１の前面も直交から平行へと変化していき、最終的には接続管３と連通管２の接続部の回動面Ａが完全に床面１０に対して垂直となり、床ブラシ１の前面が吸気パイプ４の左側に位置して吸気パイプ４の軸線Ｂと平行になる。
また、床ブラシ１の右側面が壁際にきたときには、ホース手元操作部６を吸気パイプ４の軸線を中心として右回転の捻りを加えれば、接続管３に対して連通管２が右側に回動し、最終的に接続管３と連通管２の接続部の回動面Ａが完全に床面に対し垂直となり、床ブラシ１の前面が吸気パイプ４の右側に位置して吸気パイプ４の軸線Ｂと平行になる。
【００１１】
このようにホース手元操作部６を吸気パイプ４の軸線Ｂを中心とした右回転或いは左回転の捻りを加えることにより、吸気パイプ４の軸線Ｂに対して床ブラシ１の前面が直交していたのを平行に変化させることができ、使用者はその前方だけでなく、側方に対しても使用者は移動しなくても済み、ホース手元操作部６を吸気パイプ４が軸線Ｂの方向に移動するように操作できるため、使い勝手がよく、無理な力を要せずに確実にごみを吸引することができる。
【００１２】
また、床ブラシ１に上下に回動自在に接続され、接続管３と回転自在に接続された連通管２における接続管３が接続される端部側が床ブラシ１から遠ざかるように下方に斜めに形成されているから、連通管２の大部分の上面高さを床ブラシ１の上面と略同じ高さに維持できるため、図１２に示すように床面１０の上部にベッドなどの障害物２０があって床ブラシ１しか入らない狭い隙間Ｌとなっている床面１０に対して床ブラシ１でけでなく、連通管２の大部分も入り、掃除可能領域が縮少されることがない。
【００１３】
【発明が解決しようとする課題】
上記のような従来の電気掃除機は、接続管３における連通管２と接続される上側端部の直角曲がり部３ａの内壁面に曲面部３ｂを設け、その直角曲がり部３ａがある箇所の内壁面を曲面に形成するだけでなく、接続管３における連通管２と接続される下側端部３ｃの内壁面も長さ方向に曲面に形成し、接続管２における連通管２と接続される端部付近の内壁面全体を曲面に形成することにより、騒音対策を実施しているが、接続管３における連通管２と接続される下側端部３ｃの内壁面は周方向には曲面となっているため、連通管２からきて接続管３の周方向に曲面の下側端部３ｃの壁面にぶつかった風は図１３の（ｂ）に示すようにその下側端部３ｃの壁面が凹面鏡のように作用して接続管３の中心部に風を集めてしまい、その中心部の風速が速くなって騒音を発生させる等して後述する表１に示す床ブラシの騒音測定データを見ても分かるようにまだまだ騒音は大きいいという問題が依然あった。
【００１４】
本発明は、このような問題点を解決するためになされたものであり、床ブラシの騒音を小さくすることができる電気掃除機を提供することが目的である。
【００１５】
【課題を解決するための手段】
本発明の請求項１に係る電機掃除機は、床ブラシに上下に回動自在に接続された連通管と、連通管にその周方向に回転自在に接続された接続管と、接続管に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、連通管の略中央部の上部に切欠部を形成し、該切欠部をカバーで覆うようにしたものである。
【００１６】
本発明の請求項２に係る電機掃除機は、床ブラシに上下に回動自在に接続された連通管と、連通管にその周方向に回転自在に接続された接続管と、接続管に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部の一部に周方向にほぼ平なフラット面を形成したものである。
【００１７】
本発明の請求項３に係る電機掃除機は、床ブラシに上下に回動自在に接続された連通管と、連通管にその周方向に回転自在に接続された接続管と、接続管官に着脱自在に接続され、斜め上方に延びる吸気パイプと、吸気パイプに着脱自在に接続され、ホース手元操作部を有する手元ホースと、手元ホースにホースを介して接続された掃除機本体とからなり、
連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部で床面に当接する部分に切欠部を形成し、該切欠部を摩擦抵抗の少ないプラスチック材のキャップで閉鎖したものである。
【００１９】
【発明の実施の形態】
図１は本発明の実施の形態１の電気掃除機の床ブラシを示す縦断面図、図２は図１のａ−ａ線で切断した断面図、図３は図１のｂ−ｂ線で断面した断面図、図４は同床ブラシを連通管の金型構造を示す模式図、図５は同床ブラシを裏面より見た斜視図、図６は同床ブラシの接続管の風の流れを示す説明図である。図において従来例と同一の構成は同一符号を付して重複した構成の説明を省略する。
２２は床ブラシ１に一端が上下に回動自在に接続された連通管、２２ａは連通管２２の中央部、２２ｂは連通管２２における床ブラシ１から遠ざかるように下方に斜めに形成された出口側端部で、略円柱形で内径は３０ｍｍである。２２ｃは連通管２２の中央部２２ａと出口側端部２２ｂとの接合部で、その下方は長さ方向にＲ形状の曲面である。２２ｄは連通管２２の中央部２２ａの下流側に形成された上方の断面積を拡大した拡張部で、内径は３０ｍｍである。５２は連通管２２の中央部２２ａの上部を一部切り欠いた切欠部分を覆うカバーで、ネジ５３により中央部２２ａにネジ止めされている。このカバー５２は拡張部２２ｄの一部を構成している。
【００２０】
２３は連通管２２の出口側端部２２ｂにその周方向に回転自在に接続されている接続管である。連通管２２が床面１０に対して水平な位置の時、連通管２２と接続管２３との回動面Ａが床面１０に対して斜めであり、また接続管２３に接続された吸気パイプ４の軸線Ｂと平行に形成されている。
２３ｂは接続管２３における連通管２２と接続される上側端部の直角曲がり部２３ａの内壁面に形成された曲面部、２３ｃは接続管３における連通管２と接続される下側端部で、その一部が周方向にほぼ平なフラット面に形成されている。５４は接続管２３の下側端部２３ｃのフラット面で床面１０に当接する部分を切り欠いた切欠部を閉鎖するキャップで、ネジ５５により下側端部２３ｃにネジ止めされている。このキャップ５４の材質は摩擦抵抗の少ないポリアセタール（ＰＯＭ）、ポリプロピレン（ＰＰ）、ＡＢＳ樹脂、ナイロン等のプラスチック材である。
【００２１】
次に、本発明の実施の形態１に係る電気掃除機の床ブラシの動作について説明する。
電気掃除機を始動させると、床ブラシ１の内部に図１に示す矢印のような風の流れが発生してゴミを吸い上げる。このとき、この風の流れが床ブラシ１の騒音の原因となっているのは一般的によく知られている。また、この風の流れのスピード（以後風速）が速ければ速いだけ騒音が大きいことも知られている。
【００２２】
本発明の実施の形態１は、連通管２２の中央部２２ａの下流側に上方の断面積を拡大した拡張部２２ｄを設けたことにより、図２、図３に示すように、連通管２２の中央部２２ａの断面積をＳａ、中央部２２ａの下流側に設けられた拡張部２２ｄの断面積をＳｂとすると、Ｓａ＜Ｓｂのように連通管２２の中央部２２ａの下流側の断面積が大きくなるため、連通管２２内の風速を下流側で遅くすることができ、床ブラシ１の騒音を従来例のものより低下した。その騒音の測定データを下記の回の表１のデータＢ（６６．２ｄＢ）に示す。これと比較する従来例のものは表１のデータＡ（６８．４ｄＢ）である。なお、この時の測定方法としては、ＪＩＳ、Ｃ９１０８−１９９２電気掃除機の付属書２、騒音測定方法に則り測定したもので、掃除機本体は同一の機体を使用し、床ブラシのみ従来例のもと本実施の形態１のものと交換して測定した。
【００２３】
連通管２２の中央部２２ａの上部を一部切り欠いた切欠部分を別部品のカバー５２で覆うようにしたため、図４に示すように３つの金型Ａ、Ｂ、Ｃに分割する金型構造に変更し、３方向に型抜きすることができ、連通管２２の本体と出口側端部２２ｂとの接合部２２ｃの上方だけでなく、下方もエッジをなくすることができ、形成される連通管２２の内壁全体が曲面Ｒ形状の曲面に形成できるようになった。
このことにより、連通管２２内における風の流れがスムーズになり、乱流が少なくなって騒音が低下することができる。このように連通管２２の中央部２２ａの下流側に上方の断面積を拡大した拡張部２２ｄを設け、連通管２２の内壁全体をＲ形状の曲面に形成した場合の騒音の測定データを表１のデータＣ（６５．６ｄＢ）に示す。
【００２４】
【表１】
0003765029.tif 000002
【００２５】
また、連通管２２の内壁全体をＲ形状の曲面に形成したことにより、固形物の引っかかりも少なくなる。
さらに、カバー５２は別部品として連通管２２の中央部２２ａの上部にネジ５３で取り付けられているため、万一固形物が連通管２２の出口側端部２２ｂ等に引っかかっても、カバー５２を取り外すことにより、連通管２２の中央部２２ａの上部の切欠部から簡単に取り除くことができる。
【００２６】
また、カバー５２は拡張部２２ｄの一部を構成しているので、金型的に容易に拡張部２２ｄを形成できることとなった。
さらに、従来では連通管２２の出口側端部２２ｂの内径は中央部２２ａの内径が２５ｍｍであることから、２５ｍｍが限度だったが、中央部２２ａの下流側に拡張部２２ｄ及びカバー５２を設け、拡張部２２ｄの内径を３０ｍｍ以上とすることにより、出口側端部２２ｂの内径について３０ｍｍ以上を確保することができることとなった。
【００２７】
このことにより、出口側端部２２ｂの内径も面積が大きくなり、その出口側端部２２ｂに接続される接続管２３の内径も面積が大きくなって連通管２２の下流側で風速を遅くすることができ、騒音を低下させることができた。このように連通管２２の中央部２２ａの下流側に拡張部２２ｄを設け、連通管２２の内壁全体をＲ形状の曲面に形成し、出口側端部２２ｂの内径の面積を大きくした場合の騒音の測定データを表１のデータＤ（６４．８ｄＢ）に示す。
【００２８】
さらに、接続管２３における連通管２２と接続される下側端部２３ｃにその一部が周方向にほぼ平なフラット面を形成したことにより、風の流れを考えた場合、連通管２２の出口から接続管２３に入り下側端部２３ｃにぶつかった風の流れはその反射で接続管２３の奥へと流れて行くが、このとき、下側端部２３ｃはその一部が周方向にほぼ平なフラット面であるため、そのフラット面にぶつかった風は、従来例のように接続管２３の中心部に集めるように反射するのではなく、図６の（ｂ）に示すように接続管２３の全体に均等に反射するため、風の流れはスムーズに接続管２３の奥へ流れて行き、風速が速くはならず、騒音を低下させることができた。このように連通管２２の中央部２２ａの下流側に拡張部２２ｄを設け、連通管２２の内壁全体をＲ形状の曲面に形成し、出口側端部２２ｂの内径の面積を大きくし、接続管３の下側端部２３ｃの一部を周方向にほぼ平なフラット面に形成した場合の騒音の測定データを表１のデータＥ（６３．１ｄＢ）に示す。
【００２９】
また、接続管２３の下側端部２３ｃのフラット面で床面１０に当接する部分を切り欠いた切欠部を摩擦抵抗の少ないプラスチック材のキャップ５４で閉鎖しているから、床面１０に対するキズ等を減らすことができると共に摩耗を押さえることができ、寿命が延びることとなった。
さらに、そのキャップ５４はネジ５５により下側端部２３ｃにネジ止めされているから、仮に摩耗した場合でもネジ５５によるネジ止めを解除してキャップ５４を交換すればよく、キャップ５３のみの交換ですみ使用者にとっては安価ですむ利点がある。
また、それ以外に固形物が下側端部２３Ｃに引っかかった場合に、キャップ５４を取り外すことにより、接続管２３の下側端部２３ｃのフラット面で床面１０に当接する部分を切り欠いた切欠部から固形物を容易に取り除くことができる。
【００３０】
【発明の効果】
以上説明したとおり本発明の請求項１によれば、床ブラシに上下に回動自在に接続された連通管にその周方向に接続官を回転自在に接続し、連通管が床面に対して略水平な位置の時、連通管における接続管が接続される端部側を床ブラシから遠ざかるよう斜め下方に形成し、連通管と接続管の接続部の回動面を床面に対し斜めに形成し、連通管の略中央部の上部に切欠部を形成し、該切欠部をカバーで覆うようにしたので、連通管を成型するための金型を３つに分割する金型構造に変更し、３方向に型抜きすることができ、連通管の本体と出口側端部との接合部の上方だけでなく、下方もエッジをなくすることができ、形成される連通管の内壁全体がＲ形状の曲面に形成できるため、連通管内における風の流れがスムースになり、乱流が少なくなって騒音を低下させることができるという効果がある。
【００３１】
本発明の請求項２によれば、床ブラシに上下に回動自在に接続された連通管にその周方向に接続官を回転自在に接続し、連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部の一部に周方向にほぼ平なフラット面を形成したので、連通管の出口から接続管に入り下側端部にぶっかった風は、従来例のように接続管の中心部に集めるように反射するのではなく、接続管の全体に均等に反射するため、風の流れはスムースに接続管の奥へと流れて行き、風速が速くならず、騒音を低下させることができるという効果がある。
【００３２】
本発明の請求項３によれば、床ブラシに上下に回動自在に接続された連通管にその周方向に接続官を回転自在に接続し、連通管が床面に対して略水平な位置の時、連通管における接続管が接続される端部側を床ブラシから遠ざかるよう斜め下方に形成し、連通管と接続管の接続部の回動面を床面に対し斜めに形成し、接続管における連通管側の下側端部で床面に当接する部分に切欠部を形成し、該切欠部を摩擦抵抗の少ないプラスチック材のキャップで閉鎖したので、床面に対するキズなどを減らすことができると共に摩擦を押さえることができ、寿命が延びるという効果がある。
【図面の簡単な説明】
【図１】  本発明の実施の形態１の電気掃除機の床ブラシを示す縦断面図である。
【図２】  図１のａ−ａ線で切断した断面図である。
【図３】  図１のｂ−ｂ線で断面した断面図である。
【図４】  同床ブラシを連通管の金型構造を示す模式図である。
【図５】  同床ブラシを裏面より見た斜視図である。
【図６】  同床ブラシの接続管の風の流れを示す説明図である。
【図７】  従来の電気掃除機の床ブラシを示す縦断面図である。
【図８】  同床ブラシを示す斜視図である。
【図９】  同床ブラシの連通管の金型構造を示す模式図である。
【図１０】  同床ブラシに対するホース手元操作部の位置関係を示す斜視図である。
【図１１】  同床ブラシに対する吸気パイプの軸線を平行にして状態を示す斜視図である。
【図１２】  同床ブラシの上部に障害物がある床面に対する使用状態を示す側面図である。
【図１３】  同床ブラシの接続管の風の流れを示す説明図である。
【符号の説明】
１  床ブラシ、１０  床面、２２  連通管、２２ａ  連通管中央部、２２ｂ  出口側端部、２２ｄ  拡張部、２３  接続管、２３ｃ  下側端部、５２  カバー、５４  キャップ。
【図１】
0003765029.tif 000003
【図２】
0003765029.tif 000004
【図３】
0003765029.tif 000005
【図４】
0003765029.tif 000006
【図５】
0003765029.tif 000007
【図６】
0003765029.tif 000008
【図７】
0003765029.tif 000009
【図８】
0003765029.tif 000010
【図９】
0003765029.tif 000011
【図１０】
0003765029.tif 000012
【図１１】
0003765029.tif 000013
【図１２】
0003765029.tif 000014
【図１３】
0003765029.tif 000015